(57)【要約】【課題】専用品の研磨紙を用いることなく、研磨紙を確実に固定し保持し、金型の細部の研磨等の作業を行うことができる研磨紙保持具を提供することを目的とする。【解決手段】一端側が先細りになるようにテーパ状に形成されたテーパ部１１と被研磨面に摺擦する摺擦面１２とを形成した長尺な保持棒１０と、該保持棒１０の摺擦面１２の幅と略等しい横幅を有する長尺な研磨紙２０と、該研磨紙２０の研磨面２１を表向きにして前記保持棒１０の摺擦面１２にその裏面が密着するように前記保持棒１０の一端側を巻回した状態で、前記研磨紙２０を前記保持棒１０のテーパ部１１に係止する固定具３０と、を具備してなる研磨紙保持具１。【選択図】図１
2005046956.tif 000002
【特許請求の範囲】
【請求項１】
一端側が先細りになるようにテーパ状に形成されたテーパ部と被研磨面に摺擦する摺擦面とを形成した長尺な保持棒と、
該保持棒の摺擦面の幅と略等しい横幅を有する長尺な研磨紙と、
該研磨紙の研磨面を表向きにして前記保持棒の摺擦面にその裏面が密着するように前記保持棒の一端側を巻回した状態で、前記研磨紙を前記保持棒のテーパ部に係止する固定具と、
を具備してなる研磨紙保持具。
【発明の詳細な説明】
【技術分野】
【０００１】
本発明は、金型の表面研磨等に用いる研磨紙を保持する研磨紙保持具に関するものである。
【背景技術】
【０００２】
金型の表面研磨の他、金属・木材・セラミック等の仕上げ、溶接仕上げ、自動車板金塗装の仕上げ、錆落とし等には、サンドペーパー等の研磨紙を用い手作業にて研磨、仕上げ作業を行うことが多い。このような作業、特に細部の作業を行う場合には、研磨紙の先端を細く維持するとともに、研磨紙を確実に固定し保持できる適当な研磨紙保持具が必要になる。又、研磨紙の研磨面に目づまり、目つぶれが生じたときには、別の研磨面にて研磨等の作業を行えるように、研磨面を容易に更新することができる研磨紙保持具が必要である。
【０００３】
従来の研磨紙保持具として、例えば図７に示すように、エンドレスのサンドペーパー１０１を用いたサンドペーパー・ホルダー１０２があった。該サンドペーパー・ホルダー１０２は、前側先端にエッジ部１０３を設けたホルダー本体１０４と、該ホルダー本体１０４の後端に取付けられるとともにホルダー本体１０４から後方への所定以上の移動を規制されたサンドペーパー押え具１０５と、ホルダー本体１０４とサンドペーパー押え具１０５との間に装着されたばね１０６と、からなるものである。
【０００４】
ばね１０６を前方に押し込み、サンドペーパー押え具１０５をホルダー本体１０４側に押し付け移動させた状態において、エンドレスのサンドペーパー１０１をホルダー本体１０４及びサンドペーパー押え具１０５の周縁面に掛け渡し、その後、ばね１０６の押し込みを解除すると、ばね１０６の付勢力によって、エンドレスのサンドペーパー１０１がホルダー本体１０４及びサンドペーパー押え具１０５の周縁面に確実に固定される。
【０００５】
このサンドペーパー・ホルダー１０２を人手に保持し、ホルダー本体１０４のエッジ部１０３の先端に位置するサンドペーパー１０１のサンド面（研磨面）を被研磨面と摺擦することにより、金型の細部の研磨等の作業を行うことができる。先端に位置するサンド面に目づまり、目つぶれが生じたときには、前記サンドペーパー押え具１０５を前方に押し付けながらサンドペーパー１０１をスライドさせることにより、先端に位置するサンド面を更新することができる。又、全周のサンド面に目づまり、目つぶれが生じた場合には、同様にサンドペーパー押え具１０５をを前方に押し付けることにより、サンドペーパー１０１を取り外し交換することができる。
【０００６】
更に、従来の研磨紙保持具として、例えば図８に示すように、スティック状に成形したラッピング材１０７を、その先端１０８を突出させ載置面１０９に載置した状態に、固定具１１０を用いて固定するラッピング材ホルダー１１１も提案されている（例えば、特許文献１参照）。
【特許文献１】特開２０００−２１８５５２号公報
【発明の開示】
【発明が解決しようとする課題】
【０００７】
しかしながら、前記従来のサンドペーパー・ホルダー１０２においては、エンドレスのサンドペーパー１０１を必ず用いる必要があり、更にその周長や幅をサンドペーパー・ホルダー１０２に適合させる必要があるので、専用品のエンドレスのサンドペーパー１０１を用いなければならない問題点があった。又、全周に渡ってサンドペーパー１０１のサンド面が表向きに保持されているので、該サンド面と接触することにより、研磨等の作業時に作業者の指に傷や汚れが生じる問題点があった。
【０００８】
又、前記従来のラッピング材ホルダー１１１は、スティック状に成形した研磨材しか用いることができず、可撓性の研磨紙では突出した先端が固定され得ないので、サンドペーパー等の研磨紙を用いることができない問題点があった。
【課題を解決するための手段】
【０００９】
本発明は、上記した事情や問題に鑑みてなされたものであり、エンドレスのサンドペーパー等の専用品の研磨紙を用いることなく、研磨紙を確実に固定し保持し、金型の細部の研磨等の作業を行うことができる研磨紙保持具を提供することを目的とする。
【００１０】
当該目的を達成するために、請求項１に記載の研磨紙保持具は、一端側が先細りになるようにテーパ状に形成されたテーパ部と被研磨面に摺擦する摺擦面とを形成した長尺な保持棒と、該保持棒の摺擦面の幅と略等しい横幅を有する長尺な研磨紙と、該研磨紙の研磨面を表向きにして前記保持棒の摺擦面にその裏面が密着するように前記保持棒の一端側を巻回した状態で、前記研磨紙を前記保持棒のテーパ部に係止する固定具と、を具備してなることを特徴としている。
【発明の効果】
【００１１】
請求項１に記載の研磨紙保持具によれば、保持棒の摺擦面に研磨紙の裏面が密着するように保持棒の一端側を巻回した状態で、研磨紙を保持棒のテーパ部に係止するので、厚さの異なる研磨紙を研磨紙保持具に確実に係止し保持することができる。又、研磨紙は固定具により保持棒に対して係止され保持されているので、固定具による研磨紙の係止を解除することによって、研磨紙の研磨面の更新や、研磨紙の交換を容易に行うことができる。又、研磨紙保持具に用いる研磨紙は、保持棒の摺擦面の幅と略等しい横幅を有する長尺な研磨紙であればよいので、エンドレス等の専用の研磨紙に限定されない。又、保持棒の摺擦面が研磨紙の幅と略等しいので、被研磨面周辺の部材等に研磨紙保持具が干渉することなく、金型の細部等の研磨を好適に行なうことができる。又、指先に固定具を当接させ研磨紙保持具を保持し研磨等の作業を行えば、研磨紙の研磨面が指先に接触しないので、作業者の指に傷や汚れが生じることを防止することができる。
【発明を実施するための最良の形態】
【００１２】
研磨紙を確実に固定し保持し、金型の細部の研磨等の作業を行うことができる研磨紙保持具を提供するという目的を、エンドレスのサンドペーパー等の専用品の研磨紙を用いることなく実現した。
【実施例】
【００１３】
以下、本発明の実施例に係る研磨紙保持具について図面に基づいて説明する。該研磨紙保持具１は、テーパ部１１と摺擦面１２とを形成した保持棒１０と、長尺な研磨紙２０と、該研磨紙２０を保持棒１０のテーパ部１１に係止する固定具３０と、を具備してなるものである。
【００１４】
本研磨紙保持具１は、金型の表面研磨の他、金属・木材・セラミック等の仕上げ、溶接仕上げ、自動車板金塗装の仕上げ、錆落とし等の作業に用いられる。該研磨紙保持具１によって、サンドペーパーやラッピング・ペーパー等の同一幅の長尺な研磨紙２０を固定し保持し、対象物４０の被研磨面、被仕上げ面や被錆落とし面（以下、合せて被研磨面４１と称する。）に対して、研磨紙２０の研磨面２１を摺擦することにより研磨、仕上げ、錆落とし等の作業（以下、合せて研磨作業と称する。）を行うものである。
【００１５】
前記保持棒１０は、一端側が先細りになるようにテーパ状に形成されたテーパ部１１と、被研磨面４１に摺擦する摺擦面１２とを形成した長尺なものである。保持棒１０は硬質プラスチックを材質とするが、所定以上の強度を有し成形加工の容易な各種金属、木材等を材質としてもよい。
【００１６】
前記テーパ部１１は、図１（ｂ）及び図２（ｂ）に示すように、保持棒１０の一端側である先端側が先細りになるよう、保持棒１０の長手方向に沿って先端側から後端側に向かって厚さが漸次一様に大きくなるようにテーパ状に形成される。テーパ部１１の上面１１ａ及び下面１１ｂは、例えば１°〜５°の緩やかな一定傾斜の平滑な面からなる。テーパ部１１の長さＬは、例えば３〜８ｃｍである。又、テーパ部１１の前端と後端との高さの差は、保持する研磨紙２０の厚さが異なることを考慮し、例えば１〜５ｍｍである。
【００１７】
前記摺擦面１２は、前記テーパ部１１に連続して、被研磨面４１の形状に対応する形状に形成され、テーパ部１１の幅と等しい横幅を有する。本研磨紙保持具１は、摺擦面１２として、図１（ｂ）及び図２（ｂ）に示すように、保持棒１０の先端に位置するエッジ先端部１２ａと、保持棒１０の先端近傍の下面に位置する下面傾斜部１２ｂとを備える。エッジ先端部１２ａは、保持棒１０の先端に位置する厚さ方向に鋭角な端部を備えた形状からなり、その上面は前記テーパ部１１の上面１１ａから同じ傾斜角度にて連続し形成され、その最先端部に微小の曲面を有する。エッジ先端部１２ａは、被研磨面４１が比較的狭い面であるときに対応する。下面傾斜部１２ｂは、エッジ先端部１２ａの下面から連続して形成される１〜４ｃｍ程度の長さの直線部からなり、その後端は前記テーパ部１１の下面１１ｂに連結して形成されるものである。下面傾斜部１２ｂは、被研磨面４１が比較的広い一様な面であるときに対応する。更に、摺擦面１２は他の形状であってもよい。例えば、図示しないが、保持棒１０の先端に位置する略半円形状を摺擦面１２とすれば、被研磨面４１が比較的大きな曲率半径を有する曲面であるときに対応する。
【００１８】
更に、保持棒１０は延長部１３を具備することが好ましい。該延長部１３は、本研磨紙保持具１を作業者がより持ち易くするために、前記テーパ部１１から保持棒１０の長手方向の後側に向けて連続し形成されるものであり、形状は任意である。図１（ｂ）及び図２（ｂ）に示す延長部１３は、前記テーパ部１１の後端と同じ幅と高さにて延長し形成するものである。又、延長部１３を含めた保持棒１０の全長は、研磨作業に適した長さとすることが好ましく、例えば１０〜２０ｃｍである。
【００１９】
更に又、保持棒１０は延長部１３の後端部付近に貫通孔１４を具備することが好ましい。該貫通孔１４に紐等を環状にして取り付けることにより、研磨紙保持具１の持ち運び等が便利になる。又、保持棒１０を数種類の色に着色することが好ましい。例えば、保持する前記研磨紙２０の粒度等の種別に合せて、保持棒１０の色を変更することによって、研磨紙２０の種別を誤り研磨作業することを防止することができる。
【００２０】
研磨紙２０は、保持棒１０の摺擦面１２の幅と略等しい幅を有する長尺なものであり、片面に研磨面２１を備える。研磨紙２０とは、金属、木材等の研磨、研削加工等に用いる紙であり、和紙、洋紙、布などの片面に研磨材料からなる細粒を接着剤によって固着した研磨面を備える。研磨材料としてアルミナ、炭化珪素、柘榴石、石英などを用い、接着剤として合成樹脂、にわかなどを用いる。研磨紙２０として、例えば、サンドペーパーやラッピング仕上げ用のラッピング・ペーパーを用いる。なお、液状、ペースト状、粉末状の研磨材やラッピング材、例えば、ダイヤモンド・コンパウンドやダイヤモンド・ペーストを、和紙や布などに随時付着させながら研磨作業を行なうことがある。このような場合に用いる和紙や布なども、研磨紙２０に含まれるものとする。
【００２１】
前記固定具３０は、研磨紙２０の研磨面２１を表向きにして前記保持棒１０の摺擦面１２に研磨紙２０の裏面が密着するように保持棒１０の一端側を巻回した状態で、研磨紙２０を保持棒１０のテーパ部１１に係止するものである。本研磨紙保持具１において具体的には、研磨紙２０の研磨面２１を表向きにして保持棒１０の摺擦面１２とテーパ部１１の上面１１ａ及び下面１１ｂに研磨紙２０の裏面が密着するように保持棒１０の一端側を巻回した状態で、テーパ部１１の上面１１ａ及び下面１１ｂとの間に研磨紙２０を圧接し係止する上面３１ａ及び下面３１ｂを有する貫通孔３１を、固定具３０が具備する。該貫通孔３１は、図１（ｂ）及び図３（ｂ）に示すように、その上面２１ａ及び下面２１ｂの傾斜が、テーパ部１１の上面１１ａ及び下面１１ｂの傾斜とそれぞれ等しくなるように形成される。テーパ部１１の上面１１ａ及び下面１１ｂの各面を研磨紙２０が覆い密着した状態で、貫通孔３１の上面３１ａ及び下面３１ｂとテーパ部１１の上面１１ａ及び下面１１ｂとのそれぞれの間の隙間に研磨紙２０を圧接し係止するので、テーパ部１１と貫通孔３１との上下方向の隙間に研磨紙２０が保持される。この隙間は市販の各種研磨紙の厚みの差異を考慮して適切な隙間とすることが好ましく、例えば、０．１〜１ｍｍである。研磨紙２０をより確実に保持するために、固定具３０は弾性を有することが好ましく、エラストマーやゴム等の弾性材からなる。貫通孔３１は、テーパ部１１や研磨紙２０の幅より少なくとも若干広い幅を有する。
【００２２】
更に、固定具３０は、先端側下面に切欠部３２を有することが好ましい。前記下面傾斜面１２ｂ等を用いて被研磨面４１を摺擦し研磨する場合に、被研磨面４１の周囲の部材と、固定具３０が干渉することを防止するためである。更に又、固定具３０は、その上面にすべり止め３３を設けることが好ましい。該すべり止め３３は、複数の突起からなるものである。
【００２３】
なお、本発明の実施例の変形に係る研磨紙保持具として、テーパ部１１や貫通孔３１に突起や摩擦面などを設け、研磨紙２０の滑り止めとしてもよい。例えば、研磨紙保持具１´に、図４に示すように、保持棒１０´のテーパ部１１の上面１１ａに突起１５を設けるとともに、該突起１５に対応させて、固定具３０´の貫通孔３１の上面３１ａに突起３４を設ける。突起１５と突起３４との間に研磨紙２０が係止されるので、研磨紙２０をより確実に保持することができる。更に、保持棒１０´のテーパ部１１の下面１１ｂに突起を設けるとともに、該突起に対応させて、固定具３０´の貫通孔３１の下面３１ｂに突起を設けてもよい。
【００２４】
以下、本研磨紙保持具１を用いた研磨作業について図面に基づいて説明する。保持棒１０に研磨紙２０を固定具３０により係止し保持し、保持棒１０の摺擦面１２において、研磨紙２０の研磨面２１を被研磨面４１に摺擦し研磨する。
【００２５】
まず、本研磨紙保持具１に保持する研磨紙２０を用意する。該研磨紙２０は、その幅が保持棒１０の摺擦面１２の幅と略等しい。又、その長さは、固定具３０により研磨紙２０を保持棒１０に係止するために必要となる長さ以上、すなわち、テーパ部１１の上面１１ａから摺擦面１２を介してテーパ部１１の下面１１ｂに渡って、保持棒１０の周縁面を覆う以上の長さが必要となる。又、研磨紙２０の厚さは、テーパ部１１と固定具３０の貫通孔３１との隙間に依存するが、この隙間を市販の各種研磨紙の厚みの差異を考慮した適切な隙間とすることにより、市販の各種研磨紙を用いることができる。これらにより、エンドレスのサンドペーパー等の専用品の研磨紙を用いる必要がなく、例えば、市販の大判のサンドペーパーを作業者が適切な形状に切り取り、そのまま研磨紙２０として利用することもできる。
【００２６】
前記所定の研磨紙２０を、研磨面２１を表向けにして、テーパ部１１の上面１１ａ及び下面１１ｂと摺擦面１２とに、研磨紙２０の裏面が密着するように、保持棒１０の一端側を巻回した状態に、人手によって保持棒１０に仮固定する。この状態において、図５に示す矢印右方向に、保持棒１０の先端から貫通孔３１を挿通させ、人力によって固定具３０の貫通孔３１に研磨紙２０を介してテーパ部１１を圧入する。これにより、固定部３０の貫通孔３１とテーパ部１１との上下の隙間に研磨紙２０が圧接され係止される。固定具３０の固定位置は、研磨紙２０の厚さにより定まる。
【００２７】
このように研磨紙２０を係止した本研磨紙保持具１を用いて研磨作業を行う。保持棒１０の摺擦面１２に位置する研磨紙２０は、その研磨面２１を表向きにして、摺擦面１２に密着して保持される。該摺擦面１２に位置する研磨紙２０の研磨面２１を、対象物４０の被研磨面４１に対して摺擦することにより、研磨作業を行う。図６に示すように、摺擦面１２として前記エッジ先端部１２ａを用いると、対象物４０の被研磨面４１の周囲の部材に干渉することなく細部の被研磨面４１を好適に研磨することができる。又、摺擦面１２として前記下面傾斜部１２ｂを用いると、一回の摺擦による研磨範囲が広いため、比較的広い被研磨面４１を好適に研磨することができる。
【００２８】
作業者が固定具３０の上面に設けたすべり止め３３に人差し指等の腹を押え付けることによって、摺擦面１２に位置する研磨紙２０の研磨面２１を被研磨面４１に強く確実に押し付け摺擦することができ、研磨作業を好適に行うことができる。又、前記従来のサンドペーパー・ホルダー１０１は、研磨作業時に作業者の人差し指等の腹にサンド面が当たり指に傷や汚れが生じることがあったが、固定具３０を設けることによって、作業者の指に傷や汚れが生じることを防止できる。
【００２９】
摺擦面１２に位置する研磨面２１が目づまり、目つぶれしたことにより、研磨面２１を更新する必要がある場合には、図５に示すように、矢印左方向に人力によって固定具３０を前方へ押出し研磨紙２０の係止を解除し、研磨紙２０を矢印左右方向の何れかにスライドさせ、未使用等の好適な研磨面２１を摺擦面１２に移動させる。固定具３０を保持棒１０から分離することにより、同様に研磨紙２０の交換を容易に行うこともできる。
【００３０】
なお、被研磨面４１の形状に対応させて、数種類の幅の研磨紙２０を利用できるように、研磨紙２０の幅に合せて摺擦面１２の幅が例えば１ｍｍ〜１０ｍｍと異なる数種類の研磨紙保持具１を用意することが好ましい。研磨紙２０及び摺擦面１２の幅を狭くすることにより、細部の被研磨面４１を研磨することができ、一方、研磨紙２０及び摺擦面１２の幅を広くすることにより、広範囲の被研磨面４１を研磨するために要する労力や作業時間を節約することができる。
【００３１】
なお、本願発明の研磨紙保持具は、上述した実施例の研磨紙保持具１の形態に関わらない。例えば、前記テーパ部１１の幅は、摺擦面１２の幅と同一でなくてもよく、摺擦面１２の幅に関わらずテーパ部１１の幅を一定にすれば、同一の固定具３０を摺擦面１２の幅の異なる複数の研磨紙保持具に共用することができる。更に、テーパ部１１の上面１１ａ及び下面１１ｂを共に傾斜角度一定に傾斜させるのではなく、テーパ部１１の上面１１ａ又は下面１１ｂの片面のみを傾斜させ、他方の面を水平としてもよいし、傾斜角度が一定でなくてもよく、上面１１ａ又は下面１１ｂが曲面からなるものでもよい。更に、保持棒１０の延長部１３を、テーパ部１１や摺擦面１２とは異なる材質により構成したり、これらに対して取付け可能なように分割し構成してもよい。更に、貫通孔３１の上面３１ａ及び下面３１ｂの傾斜を、テーパ部１１の上面１１ａ及び下面１１ｂの傾斜とそれぞれ等しく形成するのではなく、異なった傾斜や水平にして形成してもよい。更に又、保持棒１０の片側の先端だけではなく、前後両側の先端にそれぞれ異なる形状の摺擦面１２を形成すれば、１つの研磨紙保持具を異なる被研磨面４１の形状に対応させ用いることができる。この場合、テーパ部１１を保持棒１０の２箇所に設けてもよいが、１箇所にて兼用してもよい。
【産業上の利用可能性】
【００３２】
紙状の長尺物を保持する各種保持具に適用できる。
【図面の簡単な説明】
【００３３】
【図１】本発明の実施例に係る研磨紙保持具を示し、（ａ）は上面図、（ｂ）は側面図、（ｃ）は（ｂ）に示したＡ―Ａ断面を示す断面図である。
【図２】図１に示した研磨紙保持具の保持棒を示し、（ａ）は上面図、（ｂ）は側面図である。
【図３】図１に示した研磨紙保持具の固定具を示し、（ａ）は上面図、（ｂ）は側面図、（ｃ）は（ｂ）に示したＡ―Ａ断面を示す断面図である。
【図４】本発明の実施例の変形に係る研磨紙保持具を示す側面図である。
【図５】図１に示した研磨紙保持具の研磨紙を保持及び更新する作業を説明する図である。
【図６】図１に示した研磨紙保持具を用いた被研磨面の研磨作業を説明する図である。
【図７】従来のサンドペーパー・ホルダーを示す側面図である。
【図８】従来のラッピング材用ホルダーを示す側面図である。
【符号の説明】
【００３４】
１    研磨紙保持具
１０    保持棒
１１    テーパ部
１２    摺擦面
１２ａ  エッジ先端部
１２ｂ  下面傾斜部
２０    研磨紙
２１    研磨面
３０    固定具
３１    貫通孔
３２    切欠部
３３    すべり止め
４０    対象物
４１    被研磨面
【図１】
2005046956.tif 000003
【図２】
2005046956.tif 000004
【図３】
2005046956.tif 000005
【図４】
2005046956.tif 000006
【図５】
2005046956.tif 000007
【図６】
2005046956.tif 000008
【図７】
2005046956.tif 000009
【図８】
2005046956.tif 000010